(57)【要約】【構成】本発明は、排水孔に入れられた排水目皿の下に取り付けられ、タバコの吸殻やプラスチックなどのゴミがゴミ用スクリーンによってキャッチされ、かくして水の汚染を防止することができるようなゴミ用スクリーンを提供する。本発明のゴミ用スクリーン（２）には、その中に複数の通水孔を有する本体部と、前記本体部から延出し、前記本体部が前記マウントサポートを用いて排水目皿の下に取り付けられることができるようになっているマウントサポート（６）と、前記マウントサポート（６）の一部として設けられたハンドル（８）であって、ユーザーが該ハンドルを保持して前記本体部を引き出すことができるハンドルと、が含まれる。本ゴミ用スクリーンには、少なくとも前記本体部の１面に形成されて、水を逆流させないで排出する開口部（４）がさらに含まれてもよい。さらに、前記本体部の少なくとも１面が傾斜していてもよい。【選択図】図１
2008545075.tif 000002
【特許請求の範囲】
【請求項１】
本体中に形成された複数の通水孔を有し、ゴミを収集する本体部と、前記本体部から延出し、前記本体部を排水目皿の下に取り付けることを可能にするマウントサポートと、前記マウントサポートの一部として設けられたハンドルであって、ユーザーが該ハンドルを保持して前記本体部を引き出すことができることを特徴とするゴミ用スクリーン。
【請求項２】
少なくとも前記本体部の１面内に形成されて、前記本体部の通水孔が土砂またはゴミで目詰まり状態の際に、水を逆流させないで排出させる開口部をさらに含む請求項１に記載のゴミ用スクリーン。
【請求項３】
少なくとも前記本体部の１面が傾斜している請求項１に記載のゴミ用スクリーン。
【請求項４】
前記本体部がステンレススチールまたはプラスチックからなる請求項１に記載のゴミ用スクリーン。
【請求項５】
前記マウントサポートがステンレススチールまたはプラスチックからなる請求項１に記載のゴミ用スクリーン。
【発明の詳細な説明】
【技術分野】
【０００１】
本発明は、一般に、タバコの吸殻などのゴミを収集するために排水孔で使用されるスクリーンに関するものであり、より具体的には、道路の脇で排水孔に入れられた排水目皿の下に取り付けられ、タバコの吸殻やプラスチックなどのゴミを収集し、かくしてゴミが排水に入ることを防止し、その収集されたゴミを容易に除去することが可能であり、それによってタバコの吸殻やプラスチックなどのゴミが河川に入ることによって生じる水の汚染や環境汚染を防止できるようになっているゴミ用スクリーンに関するものである。
【背景技術】
【０００２】
一般に、排水孔は、降雨時に雨水を排出するために道路の脇に形成される。また、排水目皿は各排水孔に設置される。
【０００３】
従来技術では、タバコの吸殻やプラスチックなどのゴミが排水目皿を介して排水孔に入ってしまうと、排水孔からゴミを除去することが困難である。
【０００４】
さらに、指輪やイヤリングなどの貴重品を排水目皿を介して排水孔に落とした場合、排水孔が比較的に深いため、それらを見つけることは非常に困難である。また、タバコの吸殻や他のゴミを排水目皿を介して排水孔に投げ捨てる人々も少なくない。レストラン周囲では、生ゴミが排水目皿を介して排水孔に違法に投げ捨てられることも多い。同様に、道路の洗浄時にホウキによって集められたゴミが、排水目皿を介して排水孔に投げ捨てられることも多い。
【発明の開示】
【発明が解決しようとする課題】
【０００５】
よって、本発明は、従来技術において発生する上記問題点を念頭に置いてなされたものであり、本発明の目的は、排水孔に入れられた排水目皿の下に取り付けられ、排水孔に投げ捨てられたタバコの吸殻やプラスチックなどのゴミを容易に収集・除去し、かくして水の品質の劣化を防止し、環境汚染を防止できるようなゴミ用スクリーンを提供することである。
【０００６】
本発明の別の目的は、タバコの吸殻やプラスチックなどのゴミを収集・除去し、かくして排水孔のゴミによる目詰まりを防止し、それによって降雨時に雨水の逆流を防止することを可能にするゴミ用スクリーンを提供することである。
【課題を解決するための手段】
【０００７】
上記目的を達成するために、本発明は、本体の中に形成された複数の通水孔を有し、ゴミを収集する本体部と、前記本体部から延出し、前記本体部を排水目皿の下に取り付けることを可能にするマウントサポートと、前記マウントサポートの一部として設けられたハンドルであって、ユーザーが該ハンドルを保持して前記本体部を引き出すことができるハンドルを含むゴミ用スクリーンを提供する。
【発明の効果】
【０００８】
本発明のゴミ用スクリーンは、タバコの吸殻やプラスチックなどのゴミが河川に入ることを防止し、かくして水の汚染、つまり環境汚染を防止するものである。さらに、本発明では、排水孔のゴミによる目詰まりを防止することが可能であり、かくして降雨時の雨水の逆流が防止される。
【発明を実施するための最良の形態】
【０００９】
以下に、本発明を添付図面を参照して詳細に説明する。
【００１０】
図１は本発明に係るゴミ用スクリーン２の斜視図であり、図３は本発明に係るゴミ用スクリーンの左側面図である。
【００１１】
図１及び図３に示すように、本発明のゴミ用スクリーン２は、その本体部の全域にわたって複数の通水孔を有し、水がそれらを通過して容易に排出されるようになっている。なお、各通水孔径は降雨量に応じて変えてもよい。また、ゴミ用スクリーン２としては、既存の穿孔構造または種々の穿孔方法で製造されたスクリーンを使用してもよい。
【００１２】
さらに、開口部４は、少なくともゴミ用スクリーン２の本体部の１面を介して形成され、たとえ雨季または大雨中に多量の土砂またはゴミが吸い込まれてゴミ用スクリーン２に積み上がったとしても、雨水を容易に排出することが可能になっている。高雨量地帯の場合には、前記開口部４をゴミ用スクリーン２本体部の４面のそれぞれに形成することも可能である。ゴミ用スクリーン２には、排水目皿１２が排水孔から取り外された後にゴミ用スクリーン２が排水孔に挿入されると、ゴミ用スクリーン２がマウントサポート６によって前記排水孔のコンクリート部上に支持されるようになっている構造を有するマウントサポート６が含まれる。さらに、ゴミ用スクリーン２には、湾曲してユーザーの手を保護するとともに、ゴミを除去する際にユーザーが容易にゴミ用スクリーン２を保持することを可能にするハンドル８もさらに含まれる。したがって、ユーザーは、前記ハンドル８を用いることで、ゴミ用スクリーン２を容易に引き出すことができる。
【００１３】
ゴミ用スクリーン２は、耐食性を示すとともに、可燃物である火、例えばタバコの吸殻の火に耐性を示す材料（例えばステンレススチール）からなることことが最も好ましい。但し、ゴミ用スクリーン２の重量を考慮して、優れた耐久性を持つプラスチック製であってもよい。
【００１４】
さらに、ゴミ用スクリーン２は、地面に対して所定の角度で傾斜させ、たとえ大量のゴミがゴミ用スクリーン２内に積み重なったとしても、雨水が前記傾斜面１４を介して排出することが可能であるような傾斜面１４を有する。
【００１５】
図２は、道路の脇で前記排水目皿１２の下にマウントされたゴミ用スクリーン２を示す図である。ゴミ用スクリーン２の取り付けのため、まず、前記排水目皿１２が開口され、その後にゴミ用スクリーン２が前記排水孔に取り付けられ、前記排水目皿１２は、前記ゴミ用スクリーン２上のその原位置に戻される。タバコの吸殻やプラスチックなどの所定量のゴミ１０がゴミ用スクリーン２内に収集される際には、前記排水目皿１２が取り外され、その後ユーザーは前記ハンドル８を掴み、ゴミ用スクリーン２を引き出す。引き続いて、ユーザーは、ゴミ用スクリーン２を排水孔２内に挿入し、前記排水目皿１２をその原位置内に設置する前に、ゴミ１０をゴミ用スクリーン２から取り除く。たとえ大量のゴミ１０がゴミ用ゴミ１０スクリーン２に収集された状態で雨が降ったとしても、雨水は前記開口部４を介して排出可能である。したがって、本発明は、ゴミ用スクリーン２が目詰まりしている際にも雨水を排水できる。
【００１６】
本発明の好適な実施形態を例示目的のために開示したが、本発明はこの実施形態に限定されるものではない。さらに、当業者であれば、種々変更、付加及び代替が本発明の範囲及び真の趣旨から逸脱することなく行うことが可能であり、これらの変更、付加及び代替が添付の本発明特許請求の範囲にあることを理解されるであろう。
【産業上の利用可能性】
【００１７】
上記のように、本発明のゴミ用スクリーンは、タバコの吸殻やプラスチックなどのゴミが河川に入ることを防止し、かくして水の汚染、つまり環境汚染を防止するものである。さらに、本発明では、排水孔のゴミによる目詰まりを防止することが可能であり、かくして降雨時の雨水の逆流が防止される。
【図面の簡単な説明】
【００１８】
【図１】図１は本発明に係るゴミ用スクリーンの斜視図である。
【図２】図２は本発明に係る排水目皿の下にマウントされたゴミ用スクリーンの実施例を示す図である。
【図３】図３は本発明に係るゴミ用スクリーンの左側面図である。
【符号の説明】
【００１９】
２: ゴミ用スクリーン
４：開口部
６：マウントサポート
８：ハンドル
１０：ゴミ
１２：排水目皿
１４：傾斜面
【図１】
2008545075.tif 000003
【図２】
2008545075.tif 000004
【図３】
2008545075.tif 000005
【国際調査報告】
2008545075.tif 000006
2008545075.tif 000007